(57)【特許請求の範囲】
【請求項１】
ハウジングと、
該ハウジング内のほぼ中央に配置された棒状の中心コア部と、
該中心コア部の上方に配置され、コネクタ本体と、該コネクタ本体の下端部に配置され該中心コア部の上端部が内周側に挿入されることにより該中心コア部の調芯を行う環状の調芯リブと、を持つコネクタ部と、
該ハウジング内に注入され硬化し、各部材間の絶縁を確保する樹脂絶縁材と、
を備えてなる点火コイルであって、
該調芯リブは、該コネクタ本体を形成する材料よりも、該樹脂絶縁材に対する剥離性が高い材料により形成され、該調芯リブ外周側から該調芯リブ内周側に加わる熱応力を緩和できる剥離リブであることを特徴とする点火コイル。
【請求項２】
前記剥離リブは、ＰＰまたはＳＰＳまたはＰＰＳにより形成されており、前記コネクタ本体は、ＰＢＴにより形成されており、前記樹脂絶縁材は、エポキシ樹脂である請求項１に記載の点火コイル。
【請求項３】
ハウジングと、
該ハウジング内のほぼ中央に配置された棒状の中心コア部と、
該中心コア部の上方に配置され、コネクタ本体と、該コネクタ本体の下端部に配置され該中心コア部の上端部が内周側に挿入されることにより該中心コア部の調芯を行う環状の調芯リブと、を持つコネクタ部と、
該ハウジング内に注入され硬化し、各部材間の絶縁を確保する樹脂絶縁材と、
を備えてなる点火コイルであって、
該調芯リブは、少なくとも表面が、該コネクタ本体を形成する材料よりも、該樹脂絶縁材に対する剥離性が高い材料により形成され、該調芯リブ外周側から該調芯リブ内周側に加わる熱応力を緩和できる剥離リブであることを特徴とする点火コイル。
【請求項４】
前記剥離リブは、前記コネクタ本体を形成する材料よりも、前記樹脂絶縁材に対する剥離性が高い材料により形成されている請求項３に記載の点火コイル。
【請求項５】
前記剥離リブは、ＰＰまたはＳＰＳまたはＰＰＳにより形成されており、前記コネクタ本体は、ＰＢＴにより形成されており、前記樹脂絶縁材は、エポキシ樹脂である請求項３に記載の点火コイル。
【請求項６】
前記剥離リブは、表面がシリコンで塗布されたコート層を形成している請求項５に記載の点火コイル。
【請求項７】
前記剥離リブは、表面が剥離性の高い材料からなるテープにより巻回されたコート層を形成している請求項５に記載の点火コイル。
【発明の詳細な説明】
【０００１】
【発明の属する技術分野】
本発明は、点火コイル、より詳しくはエンジンのプラグホールに直接搭載されるスティックタイプの点火コイルに関する。
【０００２】
【従来の技術】
図５に、従来の点火コイルの中心コア部の上端部付近の拡大図を示す。図に示すように、中心コア部１００は、中心コア１０１と弾性部材１０２と弾性チューブ１０４とを備える。二次スプール１０５は、中心コア部１００の外周側に配置されている。二次スプール１０５の外周面には、二次巻線１０６が巻回されている。
【０００３】
コネクタ部１０７は、これら中心コア部１００および二次スプール１０５の上方に配置されている。コネクタ部１０７は、コネクタ本体１０３と調芯リブ１０８とを備える。調芯リブ１０８は、コネクタ本体１０３の下端面１１１から立設されている。調芯リブ１０８は、二次スプール１０５上端内周面と、中心コア部１００上端外周面との間に、上方から介挿されている。
【０００４】
上記各部材は、ハウジング（図略）内に収納されている。また、ハウジング内には、エポキシ樹脂１０９が充填されている。エポキシ樹脂１０９は、各部材間の絶縁を確保している。また、エポキシ樹脂１０９は、各部材を固定している。
【０００５】
ところで、コネクタ部１０７には、高電圧の二次巻線１０６と電気的に接続される端子（図略）が配置されている。一方、中心コア１０１は、低電圧である。したがって、コネクタ部１０７とエポキシ樹脂１０９とが剥離すると、剥離面に沿って、中心コア１０１と端子との間で絶縁破壊が起こるおそれがある。また、コネクタ部１０７とエポキシ樹脂１０９とが剥離すると、剥離面に沿ってハウジング上端から点火コイル内に水分が侵入するおそれがある。
【０００６】
このため、コネクタ部１０７は、例えばＰＢＴなどエポキシ樹脂１０９との接着性が高い材料により形成されている。
【０００７】
【発明が解決しようとする課題】
しかしながら、コネクタ本体１０３の下端面１１１には、高剛性リブ１１０が一体に形成されている。この高剛性リブ１１０は、エポキシ樹脂１０９と剥離しやすい方が好ましい。すなわち、点火コイルを構成する中心コア１０１や二次スプール１０５やエポキシ樹脂１０９などの各部材の線膨張係数はそれぞれ異なる。このため、エンジンの昇温、降温に伴い、各部材間には熱伸縮差に起因する熱応力が加わる。特に、二次スプール１０５内周側すなわち中心コア部１００付近には、外周側から比較的大きい熱応力が加わる。高剛性リブ１１０は、エポキシ樹脂１０９と剥離することにより、この熱応力を緩和している。
【０００８】
ところが、コネクタ部１０７は、エポキシ樹脂１０９との接着性が高い材料により一体に形成されている。すなわち、エポキシ樹脂１０９との剥離性が高い方が好ましい高剛性リブ１１０まで、エポキシ樹脂１０９との接着性が高い材料により一体に形成されている。このため、高剛性リブ１１０のエポキシ樹脂１０９に対する剥離は不安定である。そして、高剛性リブ１１０では、熱応力を緩和できないおそれがある。
【０００９】
本発明の点火コイルは、上記課題に鑑みて完成されたものである。したがって、本発明は、中心コア部付近に加わる熱応力を確実に緩和できる点火コイルを提供することを目的とする。
【００１０】
【課題を解決するための手段】
（１）上記課題を解決するため、請求項１に記載の点火コイルは、ハウジングと、該ハウジング内のほぼ中央に配置された棒状の中心コア部と、該中心コア部の上方に配置され、コネクタ本体と、該コネクタ本体の下端部に配置され該中心コア部の上端部が内周側に挿入されることにより該中心コア部の調芯を行う環状の調芯リブと、を持つコネクタ部と、該ハウジング内に注入され硬化し、各部材間の絶縁を確保する樹脂絶縁材と、を備えてなる点火コイルであって、該調芯リブは、該コネクタ本体を形成する材料よりも、該樹脂絶縁材に対する剥離性が高い材料により形成され、該調芯リブ外周側から該調芯リブ内周側に加わる熱応力を緩和できる剥離リブであることを特徴とする。
【００１１】
つまり、本発明の点火コイルは、従来の調芯リブの代わりに剥離リブを配置するものである。本発明の点火コイルによると、剥離させたくないコネクタ本体は樹脂絶縁材と接着したまま、剥離リブ全体の材質により剥離リブだけを樹脂絶縁材から剥離させることができる。すなわち、剥離リブの形状などによらず、リブ外周側とリブ内周側とを剥離させることができる。このため、リブ外周側からリブ内周側に加わる熱応力を緩和することができる。
【００１２】
また、剥離リブは、熱応力の緩和と中心コア部の調芯という二つの役割を併有している。すなわち、従来の調芯リブの役割と高剛性リブの役割とを併有している。このため、本発明の点火コイルによると、部品点数が少なくて済む。
【００１３】
（２）また、請求項３に記載の点火コイルは、請求項１に記載の点火コイルと同様の構成において、調芯リブは、少なくとも表面が、該コネクタ本体を形成する材料よりも、該樹脂絶縁材に対する剥離性が高い材料により形成されている剥離リブであることを特徴とする。
【００１４】
つまり、本構成は、表面の材質により剥離リブを樹脂絶縁材から剥離させるものである。本構成によると、剥離リブの形状などによらず、リブ外周側とリブ内周側とを剥離させることができる。
【００１５】
（３）好ましくは、上記（２）の構成において、前記剥離リブは、前記コネクタ本体を形成する材料よりも、前記樹脂絶縁材に対する剥離性が高い材料により形成されている。つまり、本構成は、剥離リブ全体の材質により剥離リブを樹脂絶縁材から剥離させるものである。本構成によると、剥離リブの形状などによらず、リブ外周側とリブ内周側とを剥離させることができる。
【００１６】
（４）好ましくは、上記（１）及び（２）の構成において、前記剥離リブは、ＰＰ（ポリプロピレン）またはＳＰＳ（Ｓｙｎｄｙｏｔａｃｔｉｃ−Ｐｏｌｙ−Ｓｔｙｒｅｎｅ）またはＰＰＳ（ポリフェニレンサルファイド）により形成されており、前記コネクタ本体は、ＰＢＴ（ポリブチレンテレフタレート）により形成されており、前記樹脂絶縁材は、エポキシ樹脂である構成とする方がよい。
【００１７】
剥離リブおよびコネクタ本体およびエポキシ樹脂を、上記材料により形成すると、剥離リブをエポキシ樹脂から、確実に剥離させることができる。このため、リブ外周側とリブ内周側とを、確実に剥離させることができる。また、コネクタ本体のエポキシ樹脂に対する剥離を、抑制することができる。また、絶縁性、耐熱性を確保することができる。
【００１８】
（５）好ましくは、前記剥離リブは、表面がシリコンで塗布されたコート層を形成している構成、あるいは、表面が剥離性の高い材料からなるテープにより巻回されたコート層を形成している構成とする方がよい。
【００２２】
【発明の実施の形態】
以下、本発明の点火コイルの実施の形態について説明する。
【００２３】
（１）第一実施形態
まず、本実施形態の点火コイルの構成について説明する。図１に本実施形態の点火コイルの軸方向断面図を示す。点火コイル１は、エンジンブロックの上部において、気筒毎に形成されたプラグホール（図略）内に収納されている。また、点火コイル１は、後述するように、点火プラグ（図略）と図中下側において接続されている。
【００２４】
点火コイル１は、ハウジング２を備えている。このハウジング２は、樹脂製であり上方に向かって拡径する段付円筒状を呈している。そしてハウジング２の拡径した上端部には、広口部２０が形成されている。また広口部２０の側壁の一部には、切り欠き窓２１が形成されている。
【００２５】
ハウジング２の内部には、中心コア部５と一次スプール３と一次巻線３０と二次スプール４と二次巻線４０と外周コア３１とコネクタ部６とイグナイタ６５とが、収納されている。
【００２６】
このうち中心コア部５は、中心コア５４と弾性部材５０と弾性チューブ（図略）とからなる。
【００２７】
中心コア５４は、幅の異なる短冊状の珪素鋼板（図略）を直径方向に積層して形成されており、棒状を呈している。弾性部材５０はシリコンゴム製であって円柱状を呈している。弾性部材５０は、中心コア５４の上下端に合計二つ配置されている。弾性チューブは、中心コア５４および弾性部材５０を被覆している。
【００２８】
二次スプール４は、樹脂製であって有底円筒状を呈している。二次スプール４は、中心コア部５と同軸的に、かつ中心コア部５の外周側隣りに配置されている。二次巻線４０は、二次スプール４の外周面に巻回されている。
【００２９】
一次スプール３は、二次スプール４と同軸的に、かつ二次スプール４の外周側隣りに配置されている。一次巻線３０は、一次スプール３の外周側に巻回されている。
【００３０】
外周コア３１は、一枚の長方形状の珪素鋼板が丸められ形成されている。すなわち、外周コア３１は、軸方向にスリットの入った円筒状を呈している。外周コア３１は、一次巻線３０の外周側に配置されている。
【００３１】
エポキシ樹脂８は、ハウジング２内に配置された上記部材間に介在している。このエポキシ樹脂８は、エポキシプリポリマと硬化剤とを、前記広口部２０から真空引きしたハウジング２内に注入することにより、上記部材間に浸透し硬化する。
【００３２】
コネクタ部６は、ハウジング２の広口部２０に配置されている。コネクタ部６は、コネクタ本体６０と剥離リブ６３とを備える。コネクタ本体６０は、ＰＢＴ製であって角筒部６００と台座部６０１とからなる。角筒部６００は、切り欠き窓２１からハウジング２外方に突出して配置されている。角筒部６００には、二次巻線４０に電気的に接続された端子６０２が配置されている。台座部６０１は、板状であって、広口部２０のほぼ中央に配置されている。剥離リブ６３は、ＳＰＳ製であって、リング状を呈している。剥離リブ６３は、台座部６０１の下端面６２から立設されている。剥離リブ６３は、中心コア部５と二次スプール４との間に上方から介挿されている。
【００３３】
イグナイタ６５は、パワートランジスタや電気回路などがモールド樹脂により覆われ形成されている。イグナイタ６５は、台座部６０１の上端面に搭載されている。イグナイタ６５は、前記端子６０２および二次巻線４０に電気的に接続される端子６５０を有する。
【００３４】
高圧タワー部７は、ハウジング２の下方に配置されている。高圧タワー部７は、タワーハウジング７０と高圧ターミナル７１とスプリング７２とプラグキャップ７３とを備えている。
【００３５】
タワーハウジング７０は、樹脂製であって円筒状を呈している。高圧ターミナル７１は、タワーハウジング７０の内周側上方に配置されている。高圧ターミナル７１は、金属製であって下方に開口するカップ状を呈している。高圧ターミナル７１は、二次巻線４０に電気的に接続されている。スプリング７２は、金属製であって螺旋状を呈している。スプリング７２の上端は、高圧ターミナル７１の上底壁下面に止着されている。スプリング７２には、点火プラグ（図略）が弾接している。
【００３６】
プラグキャップ７３は、ゴム製であって円筒状を呈している。プラグキャップ７３は、タワーハウジング７０の下端部に環装されている。プラグキャップ７３の内周側には、点火プラグが圧入されている。
【００３７】
次に、本実施形態の点火コイル１の通電時の動きについて説明する。エンジン制御装置からの制御信号は、コネクタ部６からイグナイタ６５を介して一次巻線３０に伝達される。そしてこの制御信号による相互誘導作用で、二次巻線４０に高電圧が発生する。二次巻線４０に発生した高電圧は、高圧ターミナル７１とスプリング７２とを介して点火プラグに伝達される。そして、この高電圧により点火プラグのギャップに火花が発生する。
【００３８】
次に、本実施形態の点火コイルの剥離リブの動きについて説明する。図２に、本実施形態の点火コイルの中心コア部の上端部付近の拡大図を示す。図に示すように、剥離リブ６３は、下端面６２に形成されたリング溝６２０に圧入固定されている。リブ外周側からリブ内周側に熱応力が加わると、剥離リブ６３外周面とエポキシ樹脂８との接着面または剥離リブ６３内周面とエポキシ樹脂８との接着面が剥離する。剥離リブ６３がエポキシ樹脂８と剥離することにより、リブ外周側とリブ内周側とは、分断される。そして、リブ外周側とリブ内周側とは、互いに干渉せずに、それぞれ独立して熱伸縮する。
【００３９】
次に、本実施形態の点火コイルの効果について説明する。本実施形態の点火コイル１は、従来の調芯リブの代わりに剥離リブ６３を備えている。このため、リブ外周側からリブ内周側に加わる熱応力を緩和することができる。また、剥離リブ６３は、熱応力の緩和と中心コア部５の調芯という二つの役割を併有している。このため、部品点数が少なくて済む。また、本実施形態の点火コイル１の剥離リブ６３は、ＳＰＳにより形成されている。このため、剥離リブ６３をエポキシ樹脂８から、確実に剥離させることができる。また、コネクタ本体６０は、ＰＢＴにより形成されている。このため、コネクタ本体６０のエポキシ樹脂８に対する接着性は良好である。
【００４０】
（２）第二実施形態
本実施形態と第一実施形態との相違点は、剥離リブの表面に剥離層が形成されている点である。また、剥離リブとコネクタ本体とが一体に形成されている点である。したがって、ここでは相違点についてのみ説明する。
【００４１】
図３に、本実施形態の点火コイルの中心コア部の上端部付近の拡大図を示す。なお、図２と対応する部位については同じ記号で示す。図に示すように、剥離リブ６３は、コネクタ本体６０と一体に形成されている。すなわち、剥離リブ６３は、コネクタ本体６０同様ＰＢＴ製である。剥離リブ６３の表面には、コート層６３０が配置されている。コート層６３０は、シリコンが塗布され形成されている。
【００４２】
本実施形態の点火コイルの場合も、熱応力が加わると、剥離リブ６３外周側のコート層６３０表面とエポキシ樹脂８との接着面、または剥離リブ６３内周側のコート層６３０表面とエポキシ樹脂８との接着面が剥離する。この剥離によりリブ外周側からリブ内周側に加わる熱応力を緩和することができる。
【００４７】
（３）その他
以上、本発明の点火コイルの実施の形態について説明した。しかしながら、実施の形態は上記形態に特に限定されるものではない。当業者が行いうる種々の変形的形態、改良的形態で行うことも可能である。
【００４８】
例えば、第一実施形態においては、剥離リブ６３をＳＰＳにより形成した。また、第二実施形態においては、コート層６３０をシリコンにより形成した。しかしながら、剥離リブ６３やコート層６３０は、ＰＰやＰＰＳ、またはＰＴＦＥ、ＰＦＡ，ＦＥＰ、ＰＣＴＦＥ、ＥＴＦＥ、ＥＣＴＦＥ、ＰＶＤＦ、ＰＶＦなどのフッ素樹脂により形成してもよい。
【００４９】
また、第一実施形態においては、剥離リブ６３上端部をリング溝６２０に圧入することにより、剥離リブ６３をコネクタ本体６０に固定した。しかしながら、溶着や接着などの手段により、剥離リブ６３をコネクタ本体６０に固定してもよい。
【００５０】
また、第二実施形態においては、シリコンを塗布することにより、剥離リブ６３表面に、コート層６３０を配置した。しかしながら、例えば剥離性の高い材料からなるテープを剥離リブ６３表面に巻回することによりコート層６３０を配置してもよい。
【００５１】
また、上記実施形態においては、剥離リブ６３を一つだけ配置したが、同心円状に複数の剥離リブを配置してもよい。こうすると、さらに熱応力を緩和することができる。
【００５２】
【発明の効果】
本発明の点火コイルによると、中心コア部付近に加わる熱応力を確実に緩和することができる。
【図面の簡単な説明】
【図１】  第一実施形態の点火コイルの軸方向断面図である。
【図２】  第一実施形態の点火コイルの中心コア部の上端部付近の拡大図である。
【図３】  第二実施形態の点火コイルの中心コア部の上端部付近の拡大図である。
【図４】  従来の点火コイルの中心コア部の上端部付近の拡大図である。
【符号の説明】
１：点火コイル、２：ハウジング、２０：広口部、２１：切り欠き窓、３：一次スプール、３０：一次巻線、３１：外周コア、４：二次スプール、４０：二次巻線、５：中心コア部、５０：弾性部材、５４：中心コア、６：コネクタ部、６０：コネクタ本体、６００：角筒部、６０１：台座部、６０２：端子、６２：下端面、６２０：リング溝、６３：剥離リブ、６３０：コート層、６３１、６５：イグナイタ、６５０：端子、７：高圧タワー部、７０：タワーハウジング、７１：高圧ターミナル、７２：スプリング、７３：プラグキャップ、８：エポキシ樹脂。
【図１】
0003959715.tif 000002
【図２】
0003959715.tif 000003
【図３】
0003959715.tif 000004
【図４】
0003959715.tif 000005